(57)【要約】【課題】立体的な表現が可能であり、かつ施工現場における施工能率の向上を図ることもできるディスプレイ装置を提供すること。【解決手段】一方の面に複数個の光源１５が搭載されると共に、前記各光源に対して発光駆動電流を供給する回路パターンを備えた回路基板１４と、前記回路基板を背にして前方に光反射する反射面が備えられ、前記光源１５に対峙する位置に貫通孔１１ａが形成されて、当該貫通孔を利用して光拡散部材１２が取り付けられると共に、光拡散部材の一部が前記反射面の前方に突出するように構成したミラー１１と、前記ミラーのさらに前方に、前記光拡散部材１２と所定の間隔をもって配置したハーフミラー１６とが備えられ、前記ハーフミラー１６を透過した光の像を表示するように構成される。【選択図】図１
2015031791.tif 000002
【特許請求の範囲】
【請求項１】
少なくとも一方の面に複数個の光源が搭載されると共に、前記各光源に対して発光駆動電流を供給する回路パターンを備えた回路基板と、
前記回路基板を背にして前方に光反射する反射面が備えられ、前記光源に対峙する位置に貫通孔が形成されて、当該貫通孔を利用して光拡散部材が取り付けられると共に、光拡散部材の一部が前記反射面の前方に突出するように構成したミラーと、
前記ミラーのさらに前方に、前記光拡散部材と所定の間隔をもって配置したハーフミラーとが備えられ、前記ハーフミラーを透過した光の像を表示するように構成したことを特徴とするディスプレイ装置。
【請求項２】
前記ミラーの反射面と、前記ハーフミラーの反射面とは、互いに平行状態に対峙して配置されていることを特徴とする請求項１に記載されたディスプレイ装置。
【請求項３】
前記回路基板に搭載された光源は、Ｒ（赤）、Ｇ（緑）、Ｂ（青）の各色が同時に発光可能なＬＥＤであることを特徴とする請求項１または請求項２に記載されたディスプレイ装置。
【請求項４】
前記光拡散部材には、前記ミラーに形成された貫通孔への取り付け状態において、前記貫通孔の周縁に当接する鍔部が形成されていることを特徴とする請求項１ないし請求項３のいずれか１項に記載されたディスプレイ装置。
【請求項５】
前記ミラーの反射面は、前記ハーフミラーに対峙する面に形成されていることを特徴とする請求項１ないし請求項４のいずれか１項に記載されたディスプレイ装置。
【請求項６】
前記ミラーは、金属板により形成されていることを特徴とする請求項５に記載されたディスプレイ装置。
【請求項７】
前記ミラーに形成された貫通孔より前方に突出する光拡散部材の形状が、角柱状、円柱状、角錐状、円錐状もしくは半球状になされていることを特徴とする請求項１ないし請求項６のいずれか１項に記載されたディスプレイ装置。
【請求項８】
前記光拡散部材は、アクリル樹脂、乳白色の樹脂素材、透明な素材に拡散剤を添加したもの、ガラス素材の表面にブラスト処理を施したもののいずれかにより構成されていることを特徴とする請求項１ないし請求項７のいずれか１項に記載されたディスプレイ装置。
【発明の詳細な説明】
【技術分野】
【０００１】
この発明は、光学的効果を利用して立体画像を表示することができるディスプレイ装置に関する。
【背景技術】
【０００２】
例えば店舗や、ビルのエントランスロビーなどには、店舗名や社名もしくは商品等を宣伝するためのディスプレイ装置が配置される場合がある。
従来における前記したディスプレイ装置の多くにおいては、文字や図形等を印刷した半透明パネルの背面に、蛍光灯などの光源を配置したバックライト形式と呼ばれるものが提供されており、これらは前記半透明パネルに描かれたパターンを平面的に認識するものであった。
【０００３】
そこで、昨今においては複数のＬＥＤ等の光源を、ミラーとハーフミラーの間に配置し、前記ミラーとハーフミラーとの間で繰り返して反射される光源のスポット光を、ハーフミラー側に配置されたレンズにより拡大して見せるように構成したしたディスプレイ装置が提案されており、これは特許文献１に開示されている。
【先行技術文献】
【特許文献】
【０００４】
【特許文献１】特開２００７−２４１２３４号公報
【０００５】
前記した特許文献１に開示されたディスプレイ装置は、ミラーとハーフミラーとの間で繰り返して反射されるＬＥＤ等の光源からのスポット光を多重光として、これをバックライトとして利用するように構成されている。
すなわち、前記ハーフミラーの前面側には多数の半球状のマイクロレンズを配置した透明板が備えられ、この透明板における前記ハーフミラー側の面には、一定のパターンで印刷されている点描画素が配置された構成が開示されている。
【０００６】
すなわち特許文献１には、ミラーとハーフミラーとの反射により生成される多重のスポット光をバックライトにして、前記した多数のマイクロレンズによる視覚効果により、点描画素による立体像が前面側に形成される（段落００２７）と記載されている。
したがって、前記したディスプレイ装置は、従来からのバックライト形式のディスプレイ装置において、バックライトの生成手段としてミラーとハーフミラーの多重反射を利用した構成を採用したものであると解釈することができる。
【０００７】
それ故、特許文献１に開示されたディスプレイ装置は、このバックライトの生成手段の前面側に、前記した多数のマイクロレンズと点描画素とを備えた透明板を配置するなど、コストの高騰を招く問題を抱えている。
しかも特許文献１に開示されたバックライトの生成手段においては、その図２および図３に示されたように、光源としての複数のＬＥＤは、前記ミラーの前面に臨むようにミラーに直接取り付けられ、各ＬＥＤにはミラーの背面側において、それぞれ給電線を介して電源部より給電されるように構成されている。
したがって、前記した構成のディスプレイ装置は、現場においての施工の作業性が悪く、施工能率の向上を図る点において、改良の余地が残されている。
【発明の概要】
【発明が解決しようとする課題】
【０００８】
この発明は、特許文献１に開示されたディスプレイ装置の前記した問題点に着目してなされたものであり、ミラーとハーフミラーとの多重反射を利用して、立体的な空間表現を醸し出すことができるディスプレイ装置を提供しようとするものであり、かつ装置の製品コストの低減を図ると共に、施工現場においての施工能率の向上を図ることができるディスプレイ装置を提供することを課題とするものである。
【課題を解決するための手段】
【０００９】
前記した課題を解決するためになされたこの発明にかかるディスプレイ装置は、少なくとも一方の面に複数個の光源が搭載されると共に、前記各光源に対して発光駆動電流を供給する回路パターンを備えた回路基板と、前記回路基板を背にして前方に光反射する反射面が備えられ、前記光源に対峙する位置に貫通孔が形成されて、当該貫通孔を利用して光拡散部材が取り付けられると共に、光拡散部材の一部が前記反射面の前方に突出するように構成したミラーと、前記ミラーのさらに前方に、前記光拡散部材と所定の間隔をもって配置したハーフミラーとが備えられ、前記ハーフミラーを透過した光の像を表示するように構成したことを特徴とする。
【００１０】
この場合、前記ミラーとハーフミラーとは、互いに平行状態に配置されることが望ましい。そして、前記回路基板に搭載された光源としては、電球やＥＬ素子などを用いることができるが、より望ましくは、Ｒ（赤）、Ｇ（緑）、Ｂ（青）の各色を同時に発光可能なＬＥＤが用いられる。
【００１１】
また、前記光拡散部材には、前記ミラーに形成された貫通孔への取り付け状態において、前記貫通孔の周縁に当接する鍔部が形成されていることが望ましい。
そして、前記ミラーの反射面は、前記ハーフミラーに対峙する面に形成されていることが望ましく、好ましい形態においては、前記ミラーは、金属板により形成される。
【００１２】
加えて、前記ミラーに形成された貫通孔より前方に突出する光拡散部材の形状が、角柱状、円柱状、角錐状、円錐状もしくは半球状になされていることが望ましく、この場合、光拡散部材としては、アクリル樹脂、乳白色の樹脂素材、透明な素材に拡散剤を添加したもの、ガラス素材の表面にブラスト処理を施したものなどを用いることができる。
【発明の効果】
【００１３】
前記したこの発明に係るディスプレイ装置によると、ミラーの反射面より前方に突出する光拡散部材の一部は、前記ミラーとさらにその前方に配置されたハーフミラーとの間で多重反射され、この状態をハーフミラーを介して視認することができる。
この場合、ミラーの反射面より前方に突出する光拡散部材の正像に、反射による鏡像が加えられて柱状体もしくは球体などの三次元の像になされ、これが奥行き方向に多数配列された状態で表現される。
【００１４】
そして、光拡散部材内に投射される例えばＬＥＤからの発光色に応じて、宙に浮いたように表現される前記柱状体もしくは球体等の像は、着色されて輝くように表現される。
しかも視認される前記した三次元の像は前方（手前）のものほど明度が高く、後方のものほど明度が低く表現されるなど、印象的なパターンを表現することができる。
【００１５】
一方、このディスプレイ装置においては、回路基板の一方の面に、各光拡散部材に投射するための光源が搭載されると共に、かつこの回路基板には各光源に対して発光駆動電流を供給する回路パターンが備えられたものが採用される。
したがって、各光源として前記したＬＥＤを用い、回路パターンを工夫することで、それぞれのＬＥＤに対する発光色と発光輝度を巧妙に異ならせるなどの制御を容易に実現することが可能となる。
【００１６】
そして、光源としての前記ＬＥＤ等を搭載した回路基板と、光拡散部材が取り付けられたミラーとを、例えばユニット化することで、装置の製品コストの低減を図ることができると共に、施工現場における施工能率の向上を図ることができるディスプレイ装置を提供することができる。
【図面の簡単な説明】
【００１７】
【図１】この発明に係るディスプレイ装置について、コーナ部分を上面から見た状態の組み立て構成図である。
【図２】ミラーとハーフミラーによる多重反射を説明する模式図である。
【図３】図１に示すディスプレイ装置によってなされるディスプレイ状態の一例を示した写真である。
【図４】ミラーに取り付けられる光拡散部材の他の構成を示した側面図である。
【図５】ミラーに取り付けられる光拡散部材のその他の構成を示した側面図である。
【発明を実施するための形態】
【００１８】
この発明に係るディスプレイ装置について、図に示す実施の形態に基づいて説明する。図１は、この発明に係るディスプレイ装置を、ビルのエントランスロビー等に設置される受け付けカウンターに採用した例を示すものであり、図はそのコーナ部分において、天板を外した状態で示している。
【００１９】
図１に示す符号１ａ〜１ｃは、受け付けカウンターの内部構造体を構成する縦柱であり、符号２ａ，２ｂは前記縦柱間を水平方向に連結する補強材を示している。
符号１ａで示した縦柱に沿って、角パイプ３およびチャンネル部材４が取り付けられており、この角パイプ３およびチャンネル部材４を利用して、カウンターの側面側のディスプレイ装置が取り付けられている。
【００２０】
なお側面側のディスプレイ装置に直交するカウンターの前面側のディスプレイ装置も、同様の手段により取り付けられるが、図１に示した範囲においては、その取り付け手段は現れていない。
以下においては、側面側のディスプレイ装置を主体にその構成について説明するが、前面側のディスプレイ装置においては、同一の機能を果たす部材に同一の符号を付けており、その説明は省略する。
【００２１】
前記チャンネル部材４を介して、ミラー１１が垂直方向に取り付けられており、このミラー１１には、水平方向および垂直方向に沿って間欠的に多数の光拡散部材１２が取り付けられている。
図２に、１つの光拡散部材１２とその周辺の構成を模式的に示しているが、前記ミラー１１は、この実施の形態においては、ステンレス素材により構成されており、その前面のミラー面は後述するハーフミラー１６に対峙する面となる。
【００２２】
そして、前記ステンレス素材により構成されたミラー１１には、図２に符号１１ａで示す貫通孔が形成され、この貫通孔１１ａを利用して前記光拡散部材１２がミラー１１に取り付けられている。
なお前記ミラー１１は、光拡散部材１２を取り付けるための貫通孔１１ａの加工が容易である点で、ステンレス素材を好適に利用されるが、例えば透明ガラスに反射面を形成したミラーも利用することができる。
この場合には、反射面は後述するハーフミラー１６に対峙する前面に形成されることが望ましい。
【００２３】
前記ミラー１１に取り付けられた光拡散部材１２の一部は、前記ミラー１１のミラー面の前方に突出しており、図１および図２に示す実施の形態においては、前記ミラー面の前方に突出する光拡散部材１２の形態は、角柱状になされている。
そして光拡散部材１２は、この実施の形態においては、アクリル樹脂が利用されているが、これは他に、乳白色の樹脂素材によるもの、透明な素材に拡散剤を添加したもの、ガラス素材の表面にブラスト処理を施したもの等を好適に利用することができる。
【００２４】
前記ミラー１１の背面側には、適宜の位置にスペーサ１３が取り付けられており、このスペーサ１３を介して回路基板１４がビス止めされている。すなわち、光拡散部材１２が取り付けられた前記ミラー１１と、前記回路基板１４とはスペーサ１３を介して連結され、ユニット化されている。
【００２５】
前記回路基板１４におけるミラー１１に対向する面には、光源としてのＬＥＤ１５が搭載されている。このＬＥＤ１５は、前記ミラー１１における光拡散部材１２の配置位置に対応して搭載されており、前記回路基板１４にはＬＥＤ１５に対して発光駆動電流を供給する回路パターン（図示せず）が形成されている。
前記ＬＥＤ１５としては、Ｒ（赤）、Ｇ（緑）、Ｂ（青）の各色が同時に発光可能なフルカラータイプが望ましく、これにより各色の発光輝度を調整することで、多様な色彩の発光色を得ることができる。
【００２６】
図１に示したように、前記した角パイプ３およびチャンネル部材４との間に形成された縦溝を利用して、前記ミラー１１の前方にハーフミラー１６が配置されている。このハーフミラー１６は、図２に示されているように反射面１６ａが前記したミラー１１に対峙する面に形成されており、ハーフミラー１６の反射面１６ａと、前記したミラー１１の前面（反射面）とは、互いに平行状態となるように設定されている。
【００２７】
図２には、前記したミラー１１とハーフミラー１６とによる多重反射の様子が示されている。すなわち、ミラー１１の貫通孔１１ａに取り付けられた光拡散部材１２には、その背面よりＬＥＤ１５からの発光色が導入される。
これによりミラー１１の反射面よりも前方に突出する光拡散部材１２は、その輪郭が例えば輝いた状態になされる。このミラー１１の前方における光拡散部材１２の像は、ハーフミラー１６とミラー１１とにより多重反射され、この状態を前面側のハーフミラー１６を介して視認することができる。
【００２８】
図３は、その様子を示した写真であり、この写真は前面側と側面側との間のコーナ部分におけるディスプレイの様子を示したものである。
この写真にも現れているとおり、角柱状に輝く光拡散部材の正像に、反射による鏡像が加えられて、立方体が宙に浮いたように表現される。そして、前記した多重反射の作用により、輝く立方体が奥行き方向に多数配列された状態に表現される。
【００２９】
このディスプレイ装置によって表現される三次元の像は、前記ミラー１１の反射面よりも前方に突出する光拡散部材１２の形状によって決められるものであり、ミラー１１の反射面よりも前方に突出する光拡散部材１２の形状が例えば半球状であれば、球体が宙に浮いたように表現され、この球体が奥行き方向に多数配列された状態に表現されることになる。
【００３０】
図４および図５は、ミラー１１に取り付けられる光拡散部材１２の他の構成を示したものである。すなわち図４に示す例はミラー１１の前方に突出する光拡散部材１２の形態は柱状に形成されており、図５に示す例は半球状になされている。
これらの光拡散部材１２には、ミラー１１の貫通孔１１ａへの取り付け状態において、貫通孔１１ａの周縁に当接する鍔部１２ａがそれぞれ形成されており、この鍔部１２ａは前記した回路基板１４が配置される背面側に位置するように構成されている。
【００３１】
この構成によると、ディスプレイ装置の組み立てに際して、ミラー１１の背面側より貫通孔１１ａに対して光拡散部材１２を挿入することで、前記鍔部１２ａは仮止めとしての機能を果たす。この状態でさらに背面にＬＥＤ１５が搭載された回路基板１４を、図１に示したようにスペーサ１３を介してビス止めすることで、ユニット化することができる。
【００３２】
以上のとおり、この発明に係るディスプレイ装置によると、ミラーとハーフミラーとの多重反射を利用して、立体的な表現を可能にしたディスプレイ装置を提供することができ、しかも施工能率の向上を図ることができるなど、前記した発明の効果の欄に記載したとおりの作用効果を得ることができる。
【符号の説明】
【００３３】
１１    ミラー
１１ａ  貫通孔
１２    光拡散部材
１３    スペーサ
１４    回路基板
１５    ＬＥＤ（光源）
１５ａ  鍔部
１６    ハーフミラー
１６ａ  反射面
【図１】
2015031791.tif 000003
【図２】
2015031791.tif 000004
【図４】
2015031791.tif 000005
【図５】
2015031791.tif 000006
【図３】
2015031791.tif 000007